(57)【要約】【課題】移動体の走行中に、単純な操作によってユーザが求める多種多様な音声案内を提供する。【解決手段】情報出力装置は、複数の種別の音声情報を予め決められた出力順で出力する。第１の種別の音声情報の出力中にユーザからの中止指示を受け付けると、情報出力装置は、その第１の種別の音声情報の出力を中止するとともに、その第１の種別の音声情報の次回の出力順を今回より遅らせる。これにより、中止指示によって途中で出力が中止された種別の音声情報は、次回の出力の際には、出力順が遅くなる。【選択図】図４
2015102859.tif 000002
【特許請求の範囲】
【請求項１】
ユーザに対して音声情報を出力する情報出力装置であって、
音声情報を出力する出力手段と、
複数の種別の音声情報を所定の出力順で前記出力手段から出力させる出力制御手段と、
前記ユーザから、前記出力手段により出力中の音声情報の中止指示を受け付ける受付手段と、を備え、
前記出力制御手段は、前記出力手段が第１の種別の音声情報を出力している際に前記受付手段が中止指示を受け付けた場合に、前記第１の種別の音声情報の出力を中止させるとともに、前記第１の種別の音声情報について次回の出力順を今回より遅らせる出力順変更処理を行うことを特徴とする情報出力装置。
【請求項２】
前記出力制御手段は、前記情報出力装置の現在位置に対応する音声情報を出力させることを特徴とする請求項１に記載の情報出力装置。
【請求項３】
前記出力制御手段は、前記複数の種別の音声情報を前記出力順で連続して出力させることを特徴とする請求項１又は２に記載の情報出力装置。
【請求項４】
前記出力制御手段は、前記出力順として一般道用の出力順と高速道路用の出力順とを記憶しており、
前記出力制御手段は、前記情報出力装置が搭載された移動体が一般道を移動しているときには前記一般道用の出力順で音声情報を出力し、前記移動体が高速道路を移動しているときは前記高速道路用の出力順で音声情報を出力することを特徴とする請求項１乃至３のいずれか一項に記載の情報出力装置。
【請求項５】
前記情報出力装置は携帯端末であり、
前記出力制御手段は、前記情報出力装置が移動体に搭載されているときに、前記出力順変更処理を行うことを特徴とする請求項１乃至４のいずれか一項に記載の情報出力装置。
【請求項６】
前記出力制御手段は、さらに歩行時の出力順を記憶しており、前記情報出力装置が移動体に搭載されていないときには前記歩行時の出力順で音声情報を出力することを特徴とする請求項５に記載の情報出力装置。
【請求項７】
音声情報を出力する出力手段を備える情報出力装置により実行される情報出力方法であって、
複数の種別の音声情報を所定の出力順で前記出力手段から出力させる出力制御工程と、
前記ユーザから、前記出力手段により出力中の音声情報の中止指示を受け付ける受付工程と、を備え、
前記出力制御工程は、前記出力手段が第１の種別の音声情報を出力している際に前記受付工程が中止指示を受け付けた場合に、前記第１の種別の音声情報の出力を中止させるとともに、前記第１の種別の音声情報について次回の出力順を今回より遅らせる出力順変更処理を行うことを特徴とする情報出力方法。
【請求項８】
音声情報を出力する出力手段及びコンピュータを備える情報出力装置により実行される情報出力プログラムであって、
複数の種別の音声情報を所定の出力順で前記出力手段から出力させる出力制御手段、
前記ユーザから、前記出力手段により出力中の音声情報の中止指示を受け付ける受付手段、として前記コンピュータを機能させ、
前記出力制御手段は、前記出力手段が第１の種別の音声情報を出力している際に前記受付手段が中止指示を受け付けた場合に、前記第１の種別の音声情報の出力を中止させるとともに、前記第１の種別の音声情報について次回の出力順を今回より遅らせる出力順変更処理を行うことを特徴とする情報出力プログラム。
【請求項９】
請求項８に記載の情報出力プログラムを記憶したことを特徴とする記憶媒体。
【発明の詳細な説明】
【技術分野】
【０００１】
本発明は、移動体の走行中に音声案内を出力する技術に関する。
【背景技術】
【０００２】
ユーザのリクエストに応じて音声案内を出力するナビゲーション装置が知られている（例えば特許文献１を参照）。このナビゲーション装置では、ユーザが入力装置のユーザリクエスト手段に要求を行うと、音声合成手段がメモリのテーブルの内容に従って記憶媒体から音声フレーズを読出し、スピーカから出力する。
【先行技術文献】
【特許文献】
【０００３】
【特許文献１】特開２００１−３２４９９０号公報
【発明の概要】
【発明が解決しようとする課題】
【０００４】
ユーザが音声案内に求める情報は多種多様であるが、特許文献１の技術では画一的な案内しか行われない。運転中は極力少ない操作で、多種多様な音声案内を聞けることが好ましい。しかるに、ユーザによって音声案内により得ようとする情報は異なる。
【０００５】
本発明が解決しようとする課題としては上記のものが一例として挙げられる。本発明は、移動体の走行中に、単純な操作によってユーザが求める多種多様な音声案内を提供することを目的とする。
【課題を解決するための手段】
【０００６】
請求項１に記載の発明は、ユーザに対して音声情報を出力する情報出力装置であって、音声情報を出力する出力手段と、複数の種別の音声情報を所定の出力順で前記出力手段から出力させる出力制御手段と、前記ユーザから、前記出力手段により出力中の音声情報の中止指示を受け付ける受付手段と、を備え、前記出力制御手段は、前記出力手段が第１の種別の音声情報を出力している際に前記受付手段が中止指示を受け付けた場合に、前記第１の種別の音声情報の出力を中止させるとともに、前記第１の種別の音声情報について次回の出力順を今回より遅らせる出力順変更処理を行うことを特徴とする。
【０００７】
請求項７に記載の発明は、音声情報を出力する出力手段を備える情報出力装置により実行される情報出力方法であって、複数の種別の音声情報を所定の出力順で前記出力手段から出力させる出力制御工程と、前記ユーザから、前記出力手段により出力中の音声情報の中止指示を受け付ける受付工程と、を備え、前記出力制御工程は、前記出力手段が第１の種別の音声情報を出力している際に前記受付工程が中止指示を受け付けた場合に、前記第１の種別の音声情報の出力を中止させるとともに、前記第１の種別の音声情報について次回の出力順を今回より遅らせる出力順変更処理を行うことを特徴とする。
【０００８】
請求項８に記載の発明は、音声情報を出力する出力手段及びコンピュータを備える情報出力装置により実行される情報出力プログラムであって、複数の種別の音声情報を所定の出力順で前記出力手段から出力させる出力制御手段、前記ユーザから、前記出力手段により出力中の音声情報の中止指示を受け付ける受付手段、として前記コンピュータを機能させ、前記出力制御手段は、前記出力手段が第１の種別の音声情報を出力している際に前記受付手段が中止指示を受け付けた場合に、前記第１の種別の音声情報の出力を中止させるとともに、前記第１の種別の音声情報について次回の出力順を今回より遅らせる出力順変更処理を行うことを特徴とする。
【図面の簡単な説明】
【０００９】
【図１】実施例に係るシステムの構成を示す。
【図２】携帯端末の概略構成を示す。
【図３】音声案内情報の例を示す。
【図４】音声案内の出力順の変更例を示す図である。
【図５】音声案内の出力順の変更例を示す図である。
【図６】音声案内処理のフローチャートである。
【図７】携帯端末を車載するためのクレードルの構成を示す。
【図８】歩行時の音声案内情報の例を示す。
【発明を実施するための形態】
【００１０】
本発明の好適な実施形態では、ユーザに対して音声情報を出力する情報出力装置は、音声情報を出力する出力手段と、複数の種別の音声情報を所定の出力順で前記出力手段から出力させる出力制御手段と、前記ユーザから、前記出力手段により出力中の音声情報の中止指示を受け付ける受付手段と、を備え、前記出力制御手段は、前記出力手段が第１の種別の音声情報を出力している際に前記受付手段が中止指示を受け付けた場合に、前記第１の種別の音声情報の出力を中止させるとともに、前記第１の種別の音声情報について次回の出力順を今回より遅らせる出力順変更処理を行う。
【００１１】
上記の情報出力装置は、複数の種別の音声情報を予め決められた出力順で出力する。第１の種別の音声情報の出力中にユーザからの中止指示を受け付けると、情報出力装置は、その出力を中止するとともに、その第１の種別の音声情報の次回の出力順を今回より遅らせる。これにより、中止指示によって途中で出力が中止された種別の音声情報は、次回の出力の際には、出力順が遅くなる。これにより、出力が中止されなかった種別、即ちユーザが関心を有すると推測される種別の音声情報は、次回の出力時により早い出力順で出力されることになる。
【００１２】
上記の情報出力装置の一態様では、前記出力制御手段は、前記情報出力装置の現在位置に対応する音声情報を出力させる。これにより、現在の状況に適合した内容の音声情報が出力される。
【００１３】
上記の情報出力装置の他の一態様では、前記出力制御手段は、前記複数の種別の音声情報を前記出力順で連続して出力させる。これにより、ユーザは１回の指示で複数の種別の音声情報を次々と聞くことができる。
【００１４】
好適な例では、前記出力制御手段は、前記出力順として一般道用の出力順と高速道路用の出力順とを記憶しており、前記出力制御手段は、前記情報出力装置が搭載された移動体が一般道を移動しているときには前記一般道用の出力順で音声情報を出力し、前記移動体が高速道路を移動しているときは前記高速道路用の出力順で音声情報を出力する。
【００１５】
上記の情報出力装置の他の一態様では、前記情報出力装置は携帯端末であり、前記出力制御手段は、前記情報出力装置が移動体に搭載されているときに前記出力順変更処理を行う。この態様では、携帯端末が移動体に搭載されているときに出力順の変更が行われるので、移動体の移動中におけるユーザの操作を単純化することができる。
【００１６】
好適な例では、前記出力制御手段は、さらに歩行時の出力順を記憶しており、前記情報出力装置が移動体に搭載されていないときには前記歩行時の出力順で音声情報を出力する。
【００１７】
本発明の他の好適な実施形態では、音声情報を出力する出力手段を備える情報出力装置により実行される情報出力方法は、複数の種別の音声情報を所定の出力順で前記出力手段から出力させる出力制御工程と、前記ユーザから、前記出力手段により出力中の音声情報の中止指示を受け付ける受付工程と、を備え、前記出力制御工程は、前記出力手段が第１の種別の音声情報を出力している際に前記受付工程が中止指示を受け付けた場合に、前記第１の種別の音声情報の出力を中止させるとともに、前記第１の種別の音声情報について次回の出力順を今回より遅らせる出力順変更処理を行う。この方法によっても、出力が中止されなかった種別、即ちユーザが関心を有すると推測される種別の音声情報は、次回の出力時により早い出力順で出力されることになる。
【００１８】
本発明の他の好適な実施形態では、音声情報を出力する出力手段及びコンピュータを備える情報出力装置により実行される情報出力プログラムは、複数の種別の音声情報を所定の出力順で前記出力手段から出力させる出力制御手段、前記ユーザから、前記出力手段により出力中の音声情報の中止指示を受け付ける受付手段、として前記コンピュータを機能させ、前記出力制御手段は、前記出力手段が第１の種別の音声情報を出力している際に前記受付手段が中止指示を受け付けた場合に、前記第１の種別の音声情報の出力を中止させるとともに、前記第１の種別の音声情報について次回の出力順を今回より遅らせる出力順変更処理を行う。このプログラムをコンピュータにより実行することにより、上記の情報出力装置を実現することができる。この情報出力プログラムは記憶媒体に記憶して取り扱うことができる。
【実施例】
【００１９】
以下、図面を参照して本発明の好適な実施例について説明する。
【００２０】
［１］システム構成
図１は、実施例に係るシステムの構成を示す。このシステムは、本発明に係る情報出力装置が適用された携帯端末１００と、リモコン１５０とを有する。携帯端末１００は、利用者が持ち運び可能な携帯型の端末であって、例えばスマートフォン、タブレット型端末、タブレット型ＰＣなどが挙げられる。携帯端末１００は、タッチパネル１２０が積層されたディスプレイ１１０を有する。携帯端末１００は、車両に搭載され、指定された目的地への経路（ルート）案内などを行う。
【００２１】
リモコン１５０は、無線通信により携帯端末１００を操作するものであり、例えば車両の運転席のステアリングに取り付けられたリモコンなどが好適に使用される。携帯端末１００とリモコン１５０との間の無線通信としては、例えばＷｉｆｉ、Ｂｌｕｅｔｏｏｔｈ（登録商標）などが使用される。
【００２２】
図２は、携帯端末１００の概略構成を示す。図２に示すように、携帯端末１００は、出力部１１と、入力部１２と、記憶部１３と、通信部１４と、バッテリ１５と、ＧＰＳ受信機１６と、制御部１７と、を備える。携帯端末１００の各要素は、バス１０を介して相互に接続され、各要素間で必要な情報が伝送可能なように構成されている。
【００２３】
出力部１１は、ディスプレイ１１０や音声を出力するスピーカ１１１などを備え、制御部１７の制御に基づき、携帯端末１００の利用者の操作に応答するための情報を出力する。なお、スピーカ１１１は本発明における出力手段の一例である。
【００２４】
入力部１２は、タッチパネル１２０を備え、携帯端末１００に対して端末利用者が行う必要な命令や情報の入力、即ち操作を受け付けるインタフェースである。例えば、入力部１２は、目的地を指定する入力や、ルート探索の条件を指定する入力などを受け付ける。なお、入力部１２は、タッチパネル１２０に加え、各種コマンドやデータを入力するための、キー、スイッチ、ボタン、音声入力装置等を有してもよい。
【００２５】
記憶部１３は、携帯端末１００の動作を制御するためのプログラムを保存したり、携帯端末１００の動作に必要な情報を保持したりする。例えば、記憶部１３は、地図データなどのナビゲーション処理に用いられる各種データを記憶する。地図データは、道路に相当するリンクと、道路の接続部分（交差点）に相当するノードとにより表された道路データや、各施設に関する施設情報などを含む。また、本実施例では、記憶部１３は音声案内を出力するための音声案内情報を記憶するが、その詳細については後述する。
【００２６】
通信部１４は、所定のプロトコルに従い、他の装置とデータの送受信を行う。例えば、通信部１４は、制御部１７の制御に基づき、インターネット等のネットワークを介してサーバ装置からディスプレイ１１０に表示させる画面情報等を受信する。
【００２７】
バッテリ１５は、充電及び放電が可能な蓄電池であり、携帯端末１００の動作に必要な電力を蓄電する。ＧＰＳ受信機１６は、複数のＧＰＳ衛星から、測位用データを含む下り回線データを搬送する電波を受信することで、携帯端末１００の現在位置の情報を生成し、制御部１７に送信する。
【００２８】
制御部１７は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、携帯端末１００内の各構成要素に対して種々の制御を行う。例えば、制御部１７は、入力部１２により目的地を指定する入力を受け付け、指定された目的地までのルート案内を行う。制御部１７は、本発明における出力制御手段、受付手段の一例である。
【００２９】
なお、携帯端末１００は、図２に示す各構成要素に加え、加速度センサ、角速度センサ及び距離センサなどの種々の自立測位装置を備えてもよい。あるいは携帯端末１００がより精度の高い位置情報を得るために、ＧＰＳ受信機、加速度センサ、角速度センサ及び距離センサなどを備えた外部装置と通信する構成としてもよい。
【００３０】
［２］音声案内
次に、実施例による音声案内について説明する。本実施例では、携帯端末１００が車両に搭載されている場合に、ユーザの指示によって携帯端末１００から音声案内を出力させる。音声案内を出力するための音声案内情報は携帯端末１００の記憶部１３に予め記憶されている。
【００３１】
（音声案内情報）
記憶部１３に記憶される音声案内情報の例を図３に示す。図３に示すように、音声案内情報は、複数の種別毎に用意されている。ここで、「種別」とは、出力される音声案内の種類、内容による分類である。種別毎に音声案内メッセージが用意されている。また、各種別の音声案内には出力順が設定されている。出力順は、一般道と高速道路について別個に設定されている。図３の例では、携帯端末１００を搭載した車両が一般道を走行しているときは、携帯端末１００は一般道の出力順に従って複数の音声案内を出力する。一方、携帯端末１００を搭載した車両が高速道路を走行しているときには、携帯端末１００は高速道路の出力順に従って複数の音声案内を出力する。なお、実際に出力される音声案内の内容は、携帯端末１００を搭載した車両の現在位置及び現在の状況に基づいて逐次更新される。即ち、図３に示す各音声案内の例における位置、時刻、渋滞、天気などの各種の情報は、実際に音声案内を出力するときの車両の現在位置及び現在の状況に基づいて決定される。
【００３２】
（ユーザの操作）
次に、音声案内に関するユーザの操作について説明する。まず、ユーザは、リモコン１５０を操作して音声案内の開始の指示を行う。ユーザが音声案内の開始指示を行うと、携帯端末１００の制御部１７は、記憶部１３に記憶されている音声案内情報から各種別の音声案内メッセージを読み出し、設定されている出力順に従って連続的にスピーカ１１１から再生する。即ち、ユーザが音声案内の開始を指示し、その後にユーザが何も操作をしない場合には、図３に示す出力順で全ての種別の音声案内が出力される。よって、ユーザは、全ての種別の音声案内を聞きたい場合は、音声案内の開始を指示するだけでよい。なお、音声案内の開始指示は、例えば、リモコン１５０に設けられたボタンの１度押しとすることができる。また、ディスプレイ４４に音声案内ボタンを表示し、ユーザがそれにタッチしたときに音声案内を開始することとしてもよい。
【００３３】
一方、ユーザは音声案内の出力の途中でその出力を中止することができる。即ち、ユーザは種別単位で音声案内の出力を中止することができる。現実の使用においては、ユーザは特定の種別の音声案内のみを聞きたい場合が多い。この場合、ユーザが希望する種別の音声案内が出力されるまで他の種別の音声案内を全て聞かなければならないとすれば不便である。よって、ユーザは、ある種別の音声案内を途中まで聞いて、その内容に関心が無い場合、その種別の音声案内のそれ以降の出力を中止することができるようにする。音声案内の中止指示は、例えばリモコン１５０に設けられたボタンの２度押しとすることができる。ユーザにより中止が指示された場合、携帯端末１００は出力順における次の種別の音声案内を出力する。
【００３４】
また、ユーザは、音声案内の出力中に、その後に出力される予定の全ての種別の音声案内の出力を終了することができる。即ち、ユーザは、関心のある種別の音声案内が出力され、それを聞いた後において、そのほかの種別の音声案内を聞く必要が無いと考える場合には、音声案内の終了指示を行うことができる。音声案内の終了指示は、例えばリモコン１５０に設けられたボタンの長押しとすることができる。音声案内の終了指示が行われると、携帯端末１００は音声案内を終了する。
【００３５】
そして、本実施例では、ユーザの中止指示又は終了指示により出力が途中で中止された種別の音声案内及び最初から出力されなかった種別の音声案内は、そのユーザの関心度が低いものと推定し、次回の音声案内の出力時には出力順を遅らせる。このように、出力の中止や終了に応じて次回以降の出力順を変更することにより、ユーザの関心の高い種別の音声案内が早期に出力されるように学習がなされることになる。
【００３６】
（出力順の変更例）
以下に、出力順の変更の具体例を示す。いま、記憶部１３に記憶されている音声案内情報は図４（ａ）に示す出力順になっているものとする。
【００３７】
ユーザが音声案内の出力を指示すると、携帯端末１００は、図４（ａ）に示す出力順で各種別の音声案内を出力する。いま仮にユーザが関心のある音声案内の種別が「走行方面情報」であるとすると、ユーザは図４（ａ）に示すように、出力順が１番目の種別「ガイドポイント案内」の音声案内の出力中に中止指示を行い、さらに２番目の種別「現在の音声案内」の音声案内の出力中にも中止指示を行う。ユーザは、３番目の種別「走行方面情報」の音声案内には関心があるのでその音声案内を最後まで聞き、４番目の種別「渋滞情報」の音声案内の出力前又は出力中に終了指示を行う。これにより、４番目〜９番目の種別の音声案内は出力されない。よって、３番目の「種別：走行方面情報」の音声案内のみが最後まで出力され、それ以外の種別の音声案内は最後まで出力されないことになる。
【００３８】
この場合、携帯端末１００は、中止指示又は終了指示により最後まで出力されなかった種別の音声案内の次回の音声案内の際の出力順を、今回の出力順よりも遅くする。つまり、中止指示又は終了指示により最後まで出力されなかった種別の音声案内は、最後まで出力された種別の音声案内よりも、次回の音声案内の際の出力順が遅くなる（後になる）。逆に言えば、最後まで出力された種別の音声案内は、最後まで出力されなかった種別の音声案内よりも、次回の音声案内の際の出力順が早くなる（先になる）。
【００３９】
具体的に、図４（ａ）に示すように中止指示及び終了指示が行われた場合、２回目の音声案内における出力順は図４（ｂ）に示すように変更される。具体的に、最後まで再生されなかった種別（「走行方面情報」以外）の音声案内の出力順は、図４（ａ）に示す１回目の音声案内における出力順より遅くなる。即ち、最後まで再生されなかった種別の音声案内は、最後まで再生された種別（「走行方面情報」）よりも遅くなる。これにより、２回目の音声案内の際には、前回（１回目）の音声案内でユーザが最後まで聞いた種別、即ち、ユーザが関心があると推測される種別の音声案内が早い出力順で出力されることになる。
【００４０】
さて、２回目の音声案内において図４（ｂ）に示すようにユーザが出力順が１番目から４番目の種別の音声案内についていずれも中止指示し、５番目の種別「到着予定時刻」の音声案内を最後まで聞き、その後に終了指示をしたとする。この場合、次回（３回目）の音声案内における出力順は図５に示すように変更される。図５に示すように、２回目の音声案内で最後まで出力された種別「到着予定時間」の音声案内の出力順が１番目に変更されている。
【００４１】
（音声案内処理）
次に音声案内処理について説明する。図６は、本実施例による音声案内処理のフローチャートである。この処理は、携帯端末１００の制御部１７が、記憶部１３に記憶されたプログラムを実行することにより実現される。
【００４２】
まず、制御部１７は、ユーザにより音声案内の開始が指示されたか否かを判定する（ステップＳ１０）。具体的には、制御部１７は、ユーザがディスプレイ１１０に表示された音声案内ボタンにタッチしたか否か、リモコン１５０のボタンを１度押ししたか否かなどを判定する。音声案内の開始が指示されていない場合（ステップＳ１０：Ｎｏ）、処理は終了する。
【００４３】
音声案内の開始が指示された場合（ステップＳ１０：Ｙｅｓ）、制御部１７は、記憶部１３に記憶されている音声案内情報を参照し、設定されている出力順に従って各種別の音声案内を出力する（ステップＳ１１）。
【００４４】
次に、制御部１７は、音声案内の出力中に中止指示があったか否かを判定する（ステップＳ１２）。中止指示は、例えばリモコン１５０のボタンの２度押しとされる。中止指示が無い場合（ステップＳ１２：Ｎｏ）、処理はステップＳ１４へ進む。一方、中止指示があった場合（ステップＳ１２：Ｙｅｓ）、制御部１７はそのときに出力中の音声案内の出力を中止し、出力順に従って次の種別の音声案内を出力する（ステップＳ１３）。
【００４５】
ステップＳ１４では、制御部１４は、ユーザにより終了指示があったか否かを判定する。終了指示は、例えばリモコン１５０のボタンの長押しとされる。終了指示があった場合（ステップＳ１４：Ｙｅｓ）、処理はステップＳ１６へ進む。終了指示がない場合（ステップＳ１４：Ｎｏ）、制御部１７は最後の種別の音声案内を出力したか否かを判定する（ステップＳ１５）。即ち、制御部１７は、記憶部１３に用意された全ての種別の音声案内を出力したか否かを判定する。最後の種別の音声案内を出力していない場合（ステップＳ１５：Ｎｏ）、処理はステップＳ１１へ戻る。一方、最後の種別の音声案内を出力した場合（ステップＳ１５：Ｙｅｓ）、処理はステップＳ１６へ進む。
【００４６】
ステップＳ１６では、制御部１７は、今回の音声案内において中止指示又は終了指示により最後まで出力されなかった種別の音声案内の出力順を遅らせるように出力順を変更する（ステップＳ１６）。これにより、次回の音声案内の際には、変更された出力順で各種別の音声案内が出力されることになる。
【００４７】
このように、本実施例では、ユーザによる音声案内の中止／終了指示という簡単な操作で、各種別の音声案内の出力順をカスタマイズすることができる。
【００４８】
［変形例］
（変形例１）
上記の実施例では、音声案内情報として一般道用と高速道路用の出力順を記憶している。その代わりに、又は、それに加えて、歩行時用の出力順を記憶し、車載時と歩行時との処理を変えてもよい。
【００４９】
変形例１において携帯端末１００を車両に搭載する際に使用するクレードルの例を図７に示す。クレードル２００は、車両のダッシュボードやフロンドガラスなどに取り付けられ、ベース部２１４と一対のアーム２１５により携帯端末１００を保持する。クレードル２００にはＮＦＣ（Ｎｅａｒ  Ｆｉｅｌｄ  Ｃｏｍｍｕｎｉｃａｔｉｏｎ）タグ２１０が取り付けられる。ＮＦＣタグ２１０には例えばユニークな文字列が書き込まれる。携帯端末１００をクレードル２００に装着すると、携帯端末１００はＮＦＣタグからその文字列を読み取り、携帯端末１００が車両に搭載されている（車内で使用されている）と判断する。それ以外の場合、携帯端末１００は車両に搭載されていないと判断する。
【００５０】
図８は、変形例１において記憶部１３に記憶される音声案内情報の一例を示す。クレードル２００に取り付けられたＮＦＣタグ２１０により、携帯端末１００が車内にあると判断した場合、携帯端末１００は上記の実施例のように、ユーザの中止／終了指示に基づいて車載用の出力順を変更する。一方、携帯端末１００が車内にはないと判断した場合、携帯端末１００は歩行時用の出力順に従って音声案内を出力する。車載時と異なり、歩行時には出力順の変更は行わないようにすることが好ましい。
【００５１】
なお、携帯端末１００は、歩行時に不要、不適当な種別の音声案内は出力しない。図８の例では、種別「渋滞情報」の音声案内は歩行時には出力されない。また、歩行時に出力する音声案内を、車載時と比較して歩行時に適した内容、表現に変更してもよい。図８の例では、音声案内の内容の括弧の部分（種別「現在地」の「〜、△△駅周辺を走行中（移動中）です。」など）は、歩行時に表現が変更される。
【００５２】
（変形例２）
上記の実施例では、中止又は終了の指示により最後まで出力されなかった種別の音声案内は次回の出力順が遅くなるが、最後まで出力されなかった回数が所定回数に至った場合には、その種別の音声案内を出力しないこととしてもよい。
【００５３】
（変形例３）
上記の実施例では、ユーザが音声案内の開始指示を入力すると、出力順に従って複数の種別の音声案内が連続して出力されるが、その代わりに、ユーザがリモコン１５０のボタンなどを押すたびに次の種別の音声案内が出力されるようにしてもよい。この場合でも、音声案内の出力中の中止指示や、終了指示に基づいて、次回の音声案内における各種別の音声案内の出力順が変更される。
【００５４】
（変形例４）
上記の実施例は本発明の情報出力装置を携帯端末１００に適用しているが、その代わりに車載用のナビゲーション装置に適用してもよい。その場合には、リモコン１５０はナビゲーション装置に付属するリモコンであってもよい。また、上記の実施例では、リモコン１５０にボタンが１つのみある場合を例示しているが、リモコン１５０に複数のボタンがある場合には、各ボタンに音声案内の開始指示、中止指示、終了指示などを割り当ててもよい。
【符号の説明】
【００５５】
１０  バス
１１  出力部
１２  入力部
１３  記憶部
１４  通信部
１５  バッテリ
１６  ＧＰＳ受信機
１７  制御部
１００  端末装置
１１０  ディスプレイ
１２０  タッチパネル
２００  クレードル
【図１】
2015102859.tif 000003
【図２】
2015102859.tif 000004
【図３】
2015102859.tif 000005
【図４】
2015102859.tif 000006
【図５】
2015102859.tif 000007
【図６】
2015102859.tif 000008
【図７】
2015102859.tif 000009
【図８】
2015102859.tif 000010